(57)【要約】使用者が動かないことをモニターする装置であって、該装置は、航空機乗客その他の旅客における深部静脈血栓症の防止に特別の用途を見出すものである。該装置は、使用者に隣接配置するための支持体（２０）、支持体（２０）上に取りつけられ、使用者が運動するのを検出するのに適した運動センサー（１０）、運動センサー（１０）に接続され、所定の運動が検出された場合にリセットされるタイマー（１２）、および、タイマー（１２）がリセットされることなく設定時間間隔をカウントした場合に動作する警報器（１４）から成る。支持体（２０）は、好ましくは、装着者の腕／脚にストラップで取りつけることのできる小容器である。必要な運動を行うのに失敗した場合には、警報器（１４）が動作させられ、したがって装着者に運動しなかったことが伝えられる。
2004537821.tif 000002
【特許請求の範囲】
【請求項１】
使用者の運動をモニターする装置であって、
該装置を使用者または使用者に隣接する物品に取りはずし自在に取りつけることを可能にする取りつけ手段を有する、使用者の腕／脚に隣接配置するための支持体、
使用者が所定の運動パターンを実行したことをある時間枠にわたって検出するのに適した運動センサー、
該運動センサーが前記時間枠内に前記所定の運動パターンを検出した場合にリセットされるように、前記運動センサーに接続されているタイマー、
該タイマーがリセットされることなく設定時間間隔をカウントした場合に前記タイマーによって作動させるために、前記タイマーに接続されている警報器、
から成ることを特徴とする装置。
【請求項２】
前記タイマーと警報器も前記支持体上に取りつけられていることを特徴とする請求項１に記載の装置。
【請求項３】
前記取りつけ手段が使用者の腕／脚に巻きつけるストラップを有することを特徴とする請求項１または２に記載の装置。
【請求項４】
前記ストラップが伸縮自在であり、腕／脚の端を包囲することを特徴とする請求項３に記載の装置。
【請求項５】
前記ストラップが二つの部分から成り、各部分に、二つの部分から成るフックとループのファスナーの一つの部分が備えてあり、前記ストラップが腕／脚のまわりに取りつけられることを特徴とする請求項３に記載の装置。
【請求項６】
運動センサーが検出し、したがってタイマーをリセットするように定められた運動の所定のパターンの種類および／または時間枠の長さを調節することができることを特徴とする請求項１から５の中のいずれか１つに記載の装置。
【請求項７】
タイマーが警報器の動作前までカウントする設定時間間隔が調節できることを特徴とする請求項１から６の中のいずれか１つに記載の装置。
【請求項８】
警報器が、可聴信号発生器、光源、およびバイブレータのうち少なくとも一つを有することを特徴とする請求項１から７の中のいずれか１つに記載の装置。
【請求項９】
タイマーおよび運動センサーからの情報を受信し、該情報に応答して警報器を動作させるのに適した制御器を有することを特徴とする請求項１から８の中のいずれか１つに記載の装置。
【請求項１０】
前記装置を遠隔的にモニターおよび／または制御することを可能にするデータを送受信するための手段をも有することを特徴とする請求項１から９の中のいずれか１つに記載の装置。
【請求項１１】
タイマー、運動センサー、および警報器が、適当にプログラムされたマイクロ制御器内に備えられるか、または該制御器によって制御されることを特徴とする請求項１から１０の中のいずれか１つに記載の装置。
【請求項１２】
支持体がプラスチック材料製の容器から成り、該容器内に、タイマー、運動センサー、警報器、および、存在する場合、制御器が配置されることを特徴とする請求項１から１１の中のいずれか１つに記載の装置。
【請求項１３】
輸送乗物の乗客の脚に取りつけるのに適しており、所定の運動パターンとタイマーの設定時間間隔とが、脚が深部静脈血栓症の危険を低下させるのに十分なだけ頻繁に正しく動かされていない場合に警報器が作動するように、設定されていることを特徴とする請求項１から１２の中のいずれか１つに記載の装置。
【請求項１４】
運動する人に取りつけるのに適しており、所定の運動パターンが、指定運動ルーチンの正しい完了によって生成されるパターンに対応するように設定してあり、タイマーの設定時間間隔が、運動が前記装置を装着している人によって正しく実行されなかった場合に警報器が作動するように、設定されることを特徴とする請求項１から１２の中のいずれか１つに記載の装置。
【請求項１５】
運動選手に取りつけるのに適しており、あとで解析するために動きのデータをモニターし、記録することを特徴とする請求項１から１２の中のいずれか１つに記載の装置。
【請求項１６】
乗物の運転者の脚、または該運転者の脚で操作されるペダルに取りつけるのに適しており、所定の運動パターンとタイマーの設定時間間隔とが、ペダルが運転者の脚によって規則的に操作されなかった場合に警報器が作動するように、設定されることを特徴とする請求項１から１２の中のいずれか１つに記載の装置。
【請求項１７】
前記装置が前記支持体に埋め込まれたマイクロコンピュータによって制御され、該マイクロコンピュータが再プログラム可能であって、前記装置の多様な使い方を可能にすることを特徴とする請求項１から１６の中のいずれか１つに記載の装置。
【発明の詳細な説明】
【技術分野】
【０００１】
本発明は、運動をモニターする装置に関する。より詳しくは、本発明は、人の運動をモニターし、その人または他の人に、指定されている運動または不活動の時間間隔または種類を通知する装置に関する。
【背景技術】
【０００２】
本発明は、しばしば長時間の不活動によって引起される深部静脈血栓症（ＤＶＴ）の防止に特別な用途を見出すものであり、ここでは、主としてこの血栓症の防止との関係で本発明を説明する。しかし、ＤＶＴの防止とは関係のない本発明の装置の他の用途も考えられ、したがって用途はＤＶＴの防止のみには限定されない。他の特定用途の例については後述する。
【０００３】
深部静脈血栓症は、静脈における血流の不足から生じる状態であり、この状態は、もっぱらというわけではないが、主として脚に関係している。血流は、飛行機あるいは窮屈なスペースでの長旅で起りうるように、長時間の不活動の場合、特に座っている場合に、ゆっくりになり、あるいは停止する傾向がある。もっと詳しく言えば、深部静脈血栓症は、ふくらはぎまたは大腿の筋肉内の深部静脈内にクロットが形成された場合に、発生する。これは通常、特に危険にさらされている人々、たとえば心臓病のある人、喫煙または飲酒をする人、および一般に太りすぎの人に自然に起る状態である。老人ホームにおける老人は、特にこれが起りやすいと思われる。これらの人は、座って長時間の不活動の状態にある傾向があるからである。
【０００４】
長時間の不活動は一般に前記状態を発生させうるものであり、医学的研究によれば、４０歳を超える人はたえず増大する危険にさらされている。警告の兆しは脚の筋肉の痛みおよび触ったときの痛みであり、皮膚の赤みおよびはれあがりである。凝血塊が肺のほうに移動すると（肺塞栓）、呼吸困難が起りうる。心臓へのクロットの移動により、死が引起されることがあり、また脳への移動により、脳卒中発生の可能性がある。長時間の飛行機旅行中にこの状態が生じた人に関して十分な記録のあるケースがあり、何例かの死はＤＶＴに帰されている。最近、一部の航空機乗客はこの状態に関して航空会社に対して訴訟を起こしており、また一部の航空会社はその航空チケットに警告を記載するようになっている。
【０００５】
飛行機のエコノミークラスの領域で起りうるようなより窮屈な状況では、よりＤＶＴにかかりやすくなるが、最近の医学的研究によれば、この状態は、不十分な運動しかしない場合、どのクラスの乗客でも起りうる。
【０００６】
数時間の長い飛行の場合、人はこの時間のかなりの部分にわたって眠るということが考えられる。これは各個人に対して禁止することはできず、問題が発生しうる。さらに、窮屈な状況であるため、それ以外の時間には、何らかの理由で事実上動かないということがありうる。この不活動により、脚の血流が減少し、ＤＶＴの潜在的問題が重要になる。
【０００７】
旅行中に脚を定期的に動かすことにより、ＤＶＴの危険が劇的に減少する。しかし、航空機の乗務員は、これらの乗客の健康と安全が少なくとも部分的には航空機乗務員の責任であるという事実にもかかわらず、乗客に確実に適当な運動をさせるような手段を有していない。ＤＶＴの問題は飛行機旅行のみには限られず、長時間すわったままで運動しない他の形の輸送手段たとえば乗合いバスおよび列車においても起る。
【０００８】
現在、有料の乗客がＤＶＴにかからないようにするのは、旅行運営者側の責任であると考えられる。しかし、長時間飛行する現在の乗客は、明らかに、ＤＶＴをもたらす多くの条件に当てはまり、したがって旅行運営者は過失賠償請求の大きな危険にさらされる可能性がある。
【発明の開示】
【発明が解決しようとする課題】
【０００９】
本発明の目的は、人の運動または運動の欠如をモニターでき、適当であると思われる場合には、その当人または他の人が改善行動をとることのできる装置を提供することである。ＤＶＴ防止に関しては、本発明の目的は、個々の乗客に腕／脚（ｌｉｍｂ）の十分かつ適当な動き／運動の欠如を警告する装置を提供することによって、ＤＶＴ発生の危険を低下させ、また旅行運営者から個々の乗客に責任を移行させることである。
【課題を解決するための手段】
【００１０】
本発明によれば、
使用者の運動をモニターする装置であって、
使用者に隣接配置するための支持体、
該支持体上に取りつけられ、使用者が所定の種類または量の運動をするのを検出するのに適した運動センサー、
該運動センサーに接続され、所定の運動が検出された場合にリセットされるようになっているタイマー、および、
該タイマーがリセットされることなく設定時間間隔をカウントした場合に該タイマーによって作動させるために、該タイマーに接続された警報器、
から成ることを特徴とする装置が提供される。
【００１１】
好ましくは、前記タイマーと警報器も前記支持体上に取りつける。そのようにすれば、この装置の便利な一体化構造が可能になるからである。
【００１２】
前述のように、本発明の装置には、該装置によって検出される運動の欠如または運動の種類をモニターし、報告する該装置の機能を活用する他の用途もある。これらの用途には、乗物たとえば長距離トラックの運転中の運転者が眠りに落ちていないことを確認する該運転者のモニターが含まれる。たとえば、装置を運転者の脚（またはペダルの一つ）に取りつけて、規則的に脚を動かす（またはペダルを押す）ことがなくなった場合に、警報器を作動させるようにすることができる。これにより、運転者を目覚めさせることができ、あるいは運転者が眠りに落ちるのを防ぐことができる。
【００１３】
腕／脚の動作能力をなくした人を、その腕／脚を動かすように、他の腕／脚を使用するリハビリによって励ますことができる。このようにすれば、その腕／脚の回復を促進することができる。問題は、そのような腕／脚を患者が神経感覚の欠如によって忘れてしまうことがありうるということであり、したがって運動がなされず、さらに悪いことには、その腕／脚の精神的概念が消失するということである。本発明のさらなる考えられる使用としては、腕／脚の動作能力をなくした人の腕／脚に装着して、その人にその腕／脚の不活動を思い出させるということがある。
【００１４】
本発明の装置は、他の種類のＤＶＴ防止装置を補助するために使用することもできる。ＤＶＴの発生の危険を低下させるために座っている人が使用できるエアバッグ体操装置の使用が公知である。この装置は使用者が体操することに頼っており、したがって体操することを確実に思い起させるものではない。本発明は、また、体操装置の正しい使用をモニターし、該装置の不十分または不正な使用がなされたときに、警報を鳴らすのに適した前述の運動モニター装置を備えた体操装置をも提供する。この装置は、二室膨張式装置とすることができ、また膨張のためのポンプを備えることもできる。
【００１５】
本発明の装置は、特定の腕／脚の不活動をモニターすることができ、またその運動のモニターのために、センサーを該センサーが前記腕／脚の動きを検出できるように配置することが肝要である。好ましくは、該センサーを使用者に押しつけて、より詳しく言えば、使用者の腕／脚に押しつけて保持し、したがってそのために支持体は、装置を使用者に取りはずし自在に取りつけることを可能にする取りつけ手段を有することができる。これらの取りつけ手段は、任意の適当な形状とすることができるが、腕／脚への取りつけのために、該腕／脚への巻きつけに適したストラップを有することができる。そのようなストラップは、引伸ばして手または足を通してから、腕／脚をつかんで一度で固定できるように、作ることができる。あるいは、このストラップは、二つの部分に分けることができ、各部分の自由端に相互取りつけのための手段、たとえば二部分から成るフックとループのファスナー（ｔｗｏ  ｐａｒｔ  ｈｏｏｋ  ａｎｄ  ｌｏｏｐ  ｆａｓｔｅｎｅｒ；マジックテープ）（たとえば、商標名「Ｖｅｌｃｒｏ」で市販されているもの）、またはバックルを備えることができる。この装置を腕／脚または衣服に取りつけるのに、剥離性接着剤（ｒｅｌｅａｓａｂｌｅ  ａｄｈｅｓｉｖｅ）を使用することもできる。
【００１６】
運動センサーは、いろいろなパターンの運動、およびいろいろな強さの運動を検出するのに適するようにすることができる。そのようにすることにより、本発明の装置は、異なる種類の運動を区別することができ、また正しい運動が行われているときにのみタイマーをリセットすることができる。したがって、不十分または不適切な運動によるタイマーのリセットが防止される。運動センサーがモニターするのに適当な運動の種類は、製造時に、たとえば警報器の作動前の時間間隔として、設定することができる。そのような製造時設定値により、特定種類の使用に装置を適合させることができる。あるいは、所定運動の種類また実際の設定時間間隔を調節して、装置をいくつかの用途に合わせることができる。この調節は、装置内の制御器を使用するかまたは装置を遠隔的に制御するかして、異なる使用モードの間で装置を再プログラムすることによって、実行することができる。
【００１７】
警報器は、使用者または他の一人もしくは複数の人に、不活動の時間を通知することができなければならず、したがって最終用途に応じていくつかの異なる形をとることができる。警報器は、少なくとも一つの可聴信号発生器たとえばスピーカー、光源たとえばフラッシュするＬＥＤ、バイブレータたとえば携帯電話で使用されるもの、および遠隔通知システムに接続された送信機、を有することができる。そのような送信機は、装置の使用者（装着者）以外の人に通知することが望ましい場合に、付加的にまたは代替的に、使用することができるであろう。
【００１８】
運動センサー、タイマー、および警報器を協働させるために、好ましくは、本発明の装置は、タイマーおよび運動センサーからの情報を受信し、該情報に応じて警報器を作動させるのに適した制御器（たとえば、マイクロプロセッサー）を有する。この制御器は、いろいろな動作に応じて、装置の再プログラムができるソフトウェアおよび／またはハードウェアを有することができる。実際、タイマー、運動センサー、および制御器は、単一の適当にプログラムされたマイクロ制御器内に一体化することができる。データの送信および受信のための手段を、警報器の一部として、または警報器に加えて、有することができ、これらは装置の遠隔制御およびモニターを可能にする。
【００１９】
運動センサーが取りつけられる支持体は、マットレスから成ることができ、該センサーは、該マットレス上にいる人の運動をモニターするのに適合させることができる。警報器は、マットレスから離して配置することができ、そのようにすれば、たとえば、看護士が、マットレス上の人の睡眠パターンまたは運動を、警報器がその人または他の人に妨害を与えることなく、モニターできる。
【００２０】
本発明による装置は、一つの実施態様において、ＤＶＴの予防に特別な用途を見出しうるものであり、したがって好ましくは、この装置は輸送乗物の乗客の脚への取りつけに適するようにし、またセンサーの所定の運動の種類およびタイマーの設定時間間隔を、脚が深部静脈血栓症の危険を低下させるのに十分なだけ頻繁に動かされなかった場合に、警報器が作動するように設定する。
【００２１】
本発明で提案するさらなる使用は、乗物運転者の睡眠の防止に関するものである。したがって、この装置は、乗物運転者の脚または運転者の脚によって操作されるペダルへの取りつけに適するようにすることができ、また所定の運動の種類およびタイマーの設定時間間隔を、ペダルが運転者の脚によって規則的に操作されなかった場合に、警報器が作動するように設定することができる。
【００２２】
この装置は、特定の運動を正しく実行することを望む人への取りつけに適するようにすることができる。そのような実施態様の場合、所定運動の種類は特定の運動ルーチンの正しい完了によって生成されるパターンに設定することができ、またタイマーの設定時間間隔を、運動が装置を装着している人によって必要な頻度で正しく実行されなかった場合に、警報器が作動するように設定することができる。
【００２３】
この装置は、運動選手およびスポーツ用動物のモニターのための使用に適するようにすることができる。この装置のいくつかの実施態様をたとえば競走馬の各脚に取りつけて、それぞれが送信機を有するようにすることができる。この送信機は、タイマーおよび運動センサーからのこれらの脚の運動の種類と規則性とに関する詳細情報を提供し、これらのデータは記録媒体たとえばハードディスクと受信機を備えた制御器に送信することができる。競走馬に使用する場合、制御器は鞍に取りつけることができ、モニター装置は競走馬の脚の端にはかせた肢巻きに配置することができる。
【００２４】
本発明のより精巧な実施態様の場合、あらかじめ合意した動作原理に合わせて、マイクロプロセッサーが使用される。このマイクロプロセッサーは下記のシーケンスを行うことができるようにプログラムされる。
【００２５】
装置が動作すると、装着者に警報が送られる。この警報は、ＬＥＤのフラッシュまたは振動モーターからのブザー音から成ることができる。マイクロプロセッサーは、運動が正しくなされるのに間に合うように、ＬＥＤをフラッシュさせることができ、そうすることによって、効果的に、装着者が特定の型の運動を行うように視覚的に促す。ＬＥＤは１５秒ごとにフラッシュするようにして、装着者に該ＬＥＤが正しく動作していることを知らせることができる。
【００２６】
ＬＥＤのさらなる使用においては、装着者が一つ以上のモニター時間間隔において運動することを拒否した場合、そのことを知らせるために、マイクロプロセッサーがＬＥＤのフラッシュ速度を変化させて１５秒あたり２回フラッシュするようにすることができる。これは、装着者が合意した所定の型の飛行機内運動を実行するのを拒否したということを、航空会社の乗務員に警告するという機能を有する。
【００２７】
タイマーは適当な時間たとえば５０〜６０分にわたって運動をモニターすることができ、当該時間中に不十分／不適当な運動が検出された場合、タイマーは振動モーターに３回に区切ったブザー音を発生させて、使用者が所定型の運動を行うように警告する。
【００２８】
運動たとえば４分間に１８０回の足踏みが完了したら、振動モーターによって別のブザー音を装着者に送り、装着者に運動を停止することができるということを伝える。次に、装置はそのクロックをリセットして、次の５０分間または６０分間のモニターを続ける。
【発明を実施するための最良の形態】
【００２９】
以下、本発明がさらに十分に理解できるように、本発明のいくつかの実施形態について、添付の図面を参照しつつ、詳しく説明する。これらの実施形態は単なる例である。
【００３０】
図１は、本発明の第一の実施形態の簡易模式図である。この装置は、使用者（図示せず）の運動を検出できるように配置された運動センサー１０、該センサー１０に接続されたタイマー１２、および警報器１４を有する。タイマーは、設定時間ｔからゼロまで、時間間隔をカウントダウンし、時間がゼロになると、制御器１６によって警報器を動作させる。飛行機乗客におけるＤＶＴの防止の場合、ｔは５６分とすることができる。運動センサーは適当なレベルまたは種類の運動を検出するのに適するようにしてあり、この運動が検出された場合、タイマー１２はｔにリセットされる。バッテリー１８の形の電源が各種要素に電力を供給する。警報器はいくつかの形態とすることができ、実際、本発明の装置はいくつかの異なるタイプの警報器を組合せて備えることができる。たとえば、飛行機乗客には、他の乗客の迷惑にならないように、無声振動警報が適当であろう。
【００３１】
実質的に図１に関して説明したようにして動作する装置のより実際に近い実施形態を、図２に示す。この実施形態においては、タイマー、運動センサー、バッテリー、および制御器が、支持体２０の内部に収容されている。支持体２０は、ストラップ２２および２４によって装着者に取りつけることができる。このストラップは使用者の脚（ＤＶＴ防止に使用する場合）に巻きつけて、二部分から成るフックとループのファスナーを使用して連結する。このファスナーの一つの部分２６がストラップ２４の内面に見えている。支持体２０は、その外面２８に、警報器の一部を構成するＬＥＤ ３０と、液晶ディスプレイスクリーン３２とを備えている。該スクリーンは、装置の動作に関する情報、たとえば警報器の動作までの時間または警報器の動作回数を表示する。
【００３２】
図２に示す装置は、長旅たとえば長距離飛行機旅行の乗客による使用を意図するものである。この装置は、ストラップ２２と２４を使用して乗客の足首に巻きつけて、所定の運動と時間間隔とを、乗客のＤＶＴ発生の機会を減少させるのに適当な規則的運動を検出するように設定する。所定の運動の例としては、３分間に１８０回よりも多い床への足踏みによってタイマーのリセットを引起すようにすることができる。タイマーがカウントダウンする時間間隔（ｔ）の長さは変えることができるが、ＤＶＴの予防のためには、運動は３〜４分間に１８０〜２４０回の足踏みから成るようにし、少なくとも３０分〜１時間（ｔ＝３０〜６０分）ごとに反復するようにすることができる。背屈によれば、前記範囲の足踏みは術後のリハビリにおける使用にも十分である。
【００３３】
装着者が規則的に正しい運動を十分にやっている場合、タイマーはリセットされ、警報器は鳴らない。正しい運動が検出されなかった場合、タイマーはゼロになり、警報器が作動し、乗客に必要な運動を行うことを思いおこさせる。時間間隔と運動の種類とは医学的推奨事項にしたがって設定することができる。
【００３４】
この装置は、条件に合う種類の運動たとえば歩き回りをも検出することができ、それらの検出に反応してカウンターをリセットすることもできる。これにより、警報器の不必要な作動を最小限に抑え、装着者の感じるわずらわしさを抑えることができる。一群の装置を異なる設定値で一つの飛行機に備えることができる。異なる設定値を有する装置は、色分けして、乗務員が異なる種類の乗客を区別できるようにすることができる。たとえば、大きなＤＶＴの危険のありうる乗客の場合、危険の小さな乗客の場合よりも短い時間間隔を装置に与えることができる。いろいろな設定時間間隔値を有するこれらの装置を、飛行の開始時に乗客に配ることができると考えられる。飛行前の安全説明時に、これらの装置の使用法を説明し示すことができるであろう。
【００３５】
この装置の簡単な実施形態は、自動装置であり、一度設定されると、乗務員または乗客が調節またはボタン押しする必要はなく、飛行機乗務員は、たとえば搭乗の楽しみのためにヘッドホンを配るのと、文字通り同じ方法で装置を配ることができる。
【００３６】
液晶ディスプレイスクリーン３２は、装置が運動によってリセットされた回数を表示することができる。この情報は、航空会社が手動または自動で記録することができ、次に、座席位置および乗客名と関係づけることができる。そうすることにより、航空会社に、それぞれの乗客が推奨されている運動の型に従っているかどうかの記録が与えられる。
【００３７】
実際には、各乗客にこの装置を配って、その安全のために装着するように要請することができる。乗客がそれを拒むかまたは単に装置を使用しなかった場合にも、航空会社は可能な限り安全な旅を提供するという行動指針に従ったことになり、責任は個々の乗客に移行することになる。
【００３８】
この装置の使用は、飛行機の乗客のみに限定されるものではなく、この装置は、あらゆる種類の運動の欠如から生じるＤＶＴの脅威その他の問題がある場合、たとえば病院における重大な手術のあとに生じうるような問題がある場合、あるいは運動のモニターが望ましいような場合には、いつでも使用することができる。小さな送信機を、この装置とともに使用することができ、そのことを図３に示す。図３の装置実施形態は図１に示すものと実質的に同様であり、したがって同種部品は同じ参照番号で示す。これら二つの実施形態の違いは、図３の警報器が、遠隔モニターステーション３８の受信機に無線接続された送信機３６から成る、ということである。このようにすれば、警報信号を遠隔位置に送って第三者がモニターするようにすることができる。これの使用の例は病院におけるものであり、その場合、医療スタッフに、患者の腕／脚がこのある時間動かされておらず、ただちに動かす必要があるという警告をするのに使用することができる。送信機は低エネルギーの電波または超音波を使用して遠隔モニターステーションと連絡することができる。
【００３９】
単一の遠隔モニターステーションに複数の装置を使用すれば、一人の人に関して複合運動データを得ることができる。各装置は、それが同定できる場合、そのデータをコンピュータに送り、該コンピュータはたとえば医療スタッフによる検討のために情報を関係づけることができる。
【００４０】
図４は、この装置の一つの実施形態がどのように動作するかを簡単化して示す流れ図である。装置はまず装着者に取りつけられ、ステップ４０において、リセットされる。次に、ステップ４１において、タイマーがカウントダウンを開始し、一方ステップ４２において、運動のモニターを開始する。運動が検出されると、ステップ４３において、運動の種類が解析され、条件に合うと、タイマーはステップ４０において、リセットされる。正しい運動が検出されない場合には、タイマーはステップ４４において、時間間隔の終りに到達し、ステップ４５において、警報器が作動する。運動センサーはステップ４６において引き続き運動をモニターし、運動が検出されない場合には、ステップ４７において、警報器が作動し続ける。運動が検出された場合には、ステップ４８で解析され、条件に合う場合には、ステップ４０においてタイマーがリセットされ、サイクルが再開される。運動が正しくない場合には、手動で停止させるまで、警報器が作動し続ける。
【００４１】
図５に示す実施形態は、マイクロプロセッサー４９を有し、該マイクロプロセッサーによって駆動電子機器が動作し、また該マイクロプロセッサーには、センサー１０から運動データが送られる。音響器／振動モーター１４とＬＥＤ ３０とから成る警報器は、マイクロプロセッサー４９で実行されるソフトウェア５１によってなされる決定によって駆動される。ＬＥＤ ３０は、装着者に、装置が正しく動作していることを知らせるため、また少なくとも一つの時間間隔にわたって運動が行われなかったということを警告するために、使用される。これらの機能は、ＬＥＤのフラッシュパターンを変えることによって、実現できる。バッテリー５０が装置に電力を供給する。
【００４２】
図６に示す流れ図は、図５の装置がどのように動作するかを示す。
【図面の簡単な説明】
【００４３】
【図１】本発明の装置の一つの実施形態の簡易化模式ブロック図である。
【図２】本発明の、使用準備ができた状態の、もう一つの類似実施形態の斜視図である。
【図３】警報器が、遠隔モニターステーションとの通信を行う低電力送信機を有する、本発明の装置のもう一つの実施形態の簡易化模式ブロック図である。
【図４】図１の実施形態の動作を示す流れ図である。
【図５】本発明のより精巧な別の実施形態である。
【図６】図５の実施形態の動作を示す流れ図である。
【符号の説明】
【００４４】
１０  運動センサー
１２  タイマー
１４  警報器
１６  制御器
１８  バッテリー
２０  支持体
２２、２４  ストラップ
２６  ファスナーの一つの部分
２８  ２０の外面
３０  ＬＥＤ
３２  液晶ディスプレイスクリーン
３６  送信機
３８  遠隔モニターステーション
４０、４１、４２、４３、４４、４５、４６、４７、４８  本発明の装置の動作ステップ
４９  マイクロプロセッサー
５０  バッテリー
５１  ソフトウェア
【図１】
2004537821.tif 000003
【図２】
2004537821.tif 000004
【図３】
2004537821.tif 000005
【図４】
2004537821.tif 000006
【図５】
2004537821.tif 000007
【図６】
2004537821.tif 000008
【国際公開パンフレット】
2004537821.tif 000009
2004537821.tif 000010
2004537821.tif 000011
2004537821.tif 000012
2004537821.tif 000013
2004537821.tif 000014
2004537821.tif 000015
2004537821.tif 000016
2004537821.tif 000017
2004537821.tif 000018
2004537821.tif 000019
2004537821.tif 000020
2004537821.tif 000021
2004537821.tif 000022
2004537821.tif 000023
2004537821.tif 000024
2004537821.tif 000025
2004537821.tif 000026
【手続補正書】
【提出日】平成15年4月9日(2003.4.9)
【手続補正１】
【補正対象書類名】特許請求の範囲
【補正対象項目名】全文
【補正方法】変更
【補正の内容】
【特許請求の範囲】
【請求項１】
輸送用乗物で旅行中の使用者の運動をモニターする装置であって、
取りはずし自在の取りつけ装置によって、使用者の脚に局所取りつけまたは隣接取りつけするのに適した支持体、
使用者が所定の運動パターンを実行したことをある設定時間枠にわたって検出するのに適した、前記支持体に取りつけられた運動センサー、
該運動センサーが前記時間枠内に前記所定の運動パターンを検出した場合にリセットされるように、前記運動センサーに接続されている、前記支持体に取りつけられたタイマー、
該タイマーがリセットされることなく設定時間間隔をカウントした場合に前記タイマーによって作動させるために、前記タイマーに接続されている、やはり前記支持体に取りつけられた警報器、
から成り、
前記所定の運動パターンとタイマーの設定時間枠とが、使用者の腕／脚が深部静脈血栓症の危険を低下させるのに十分な頻度で正しく動かされなかった場合に、前記警報器が作動するように設定されている、
ことを特徴とする装置。
【請求項２】
前記取りつけ装置が使用者の腕／脚に巻きつけるストラップを有することを特徴とする請求項１に記載の装置。
【請求項３】
前記ストラップが伸縮自在であり、腕／脚の端を包囲することを特徴とする請求項２に記載の装置。
【請求項４】
前記ストラップが二つの部分から成り、各部分に、二つの部分から成るフックとループのファスナーの一つの部分が備えてあり、前記ストラップが腕／脚のまわりに取りつけられることを特徴とする請求項２に記載の装置。
【請求項５】
運動センサーが検出する運動の所定のパターンの種類および／または時間枠の期間を調節することができることを特徴とする請求項１から４の中のいずれか１つに記載の装置。
【請求項６】
タイマーが警報器の動作前までカウントする設定時間間隔が調節できることを特徴とする請求項１から５の中のいずれか１つに記載の装置。
【請求項７】
警報器が、可聴信号発生器、光源、およびバイブレータのうち少なくとも一つを有することを特徴とする請求項１から６の中のいずれか１つに記載の装置。
【請求項８】
タイマーおよび運動センサーからの情報を受信し、該情報に応答して警報器を動作させるのに適した制御器を有することを特徴とする請求項１から７の中のいずれか１つに記載の装置。
【請求項９】
前記装置を遠隔的にモニターおよび／または制御することを可能にするデータを送受信するための手段をも有することを特徴とする請求項１から８の中のいずれか１つに記載の装置。
【請求項１０】
タイマー、運動センサー、および警報器が、適当にプログラムされたマイクロ制御器内に備えられるか、または該制御器によって制御されることを特徴とする請求項１から９の中のいずれか１つに記載の装置。
【請求項１１】
支持体がプラスチック材料製の容器から成り、該容器内に、タイマー、運動センサー、警報器、および、存在する場合、制御器が配置されることを特徴とする請求項１から１０の中のいずれか１つに記載の装置。
【請求項１２】
運動している人の運動をモニターする装置であって、
取りはずし自在の取りつけ装置によって、使用者の腕／脚に局所取りつけまたは隣接取りつけするのに適した支持体、
使用者が所定の運動パターンを実行したことをある設定時間枠にわたって検出するのに適した、前記支持体に取りつけられた運動センサー、
該運動センサーが前記時間枠内に前記所定の運動パターンを検出した場合にリセットされるように、前記運動センサーに接続されている、前記支持体に取りつけられたタイマー、
該タイマーがリセットされることなく設定時間間隔をカウントした場合に前記タイマーによって作動させるために、前記タイマーに接続されている、やはり前記支持体に取りつけられた警報器、
から成り、
前記所定の運動パターンが指定運動ルーチンの正しい完了によって生成されるパターンに対応するように設定してあり、前記タイマーの設定時間間隔が、前記装置を装着している人によって運動が正しくなされなかった場合に、前記警報器が作動するように設定されている、
ことを特徴とする装置。
【請求項１３】
前記装置が前記支持体に埋め込まれたマイクロコンピュータによって制御され、該マイクロコンピュータが再プログラム可能であって、前記装置の多様な使い方を可能にすることを特徴とする請求項１から１２の中のいずれか１つに記載の装置。
【手続補正２】
【補正対象書類名】明細書
【補正対象項目名】全文
【補正方法】変更
【補正の内容】
【発明の詳細な説明】
【技術分野】
【０００１】
本発明は、人の運動をモニターし、その人または他の人に、指定されている運動または不活動のパターンおよび頻度を通知し、深部静脈血栓症を防止する装置に関する。
【背景技術】
【０００２】
本発明は、しばしば長時間の不活動によって引起される深部静脈血栓症（ＤＶＴ）の防止に特別な用途を見出すものであり、ここでは、主としてこの血栓症の防止との関係で本発明を説明する。
【０００３】
深部静脈血栓症は、静脈における血流の不足から生じる状態であり、この状態は、もっぱらというわけではないが、主として脚に関係している。血流は、飛行機あるいは窮屈なスペースでの長旅で起りうるように、長時間の不活動の場合、特に座っている場合に、ゆっくりになり、あるいは停止する傾向がある。もっと詳しく言えば、深部静脈血栓症は、ふくらはぎまたは大腿の筋肉内の深部静脈内にクロットが形成された場合に、発生する。これは通常、特に危険にさらされている人々、たとえば心臓病のある人、喫煙または飲酒をする人、および一般に太りすぎの人に自然に起る状態である。老人ホームにおける老人は、特にこれが起りやすいと思われる。これらの人は、座って長時間の不活動の状態にある傾向があるからである。
【０００４】
長時間の不活動は一般に前記状態を発生させうるものであり、医学的研究によれば、４０歳を超える人はたえず増大する危険にさらされている。警告の兆しは脚の筋肉の痛みおよび触ったときの痛みであり、皮膚の赤みおよびはれあがりである。凝血塊が肺のほうに移動すると（肺塞栓）、呼吸困難が起りうる。心臓へのクロットの移動により、死が引起されることがあり、また脳への移動により、脳卒中発生の可能性がある。長時間の飛行機旅行中にこの状態が生じた人に関して十分な記録のあるケースがあり、何例かの死はＤＶＴに帰されている。最近、一部の航空機乗客はこの状態に関して航空会社に対して訴訟を起こしており、また一部の航空会社はその航空チケットに警告を記載するようになっている。
【０００５】
飛行機のエコノミークラスの領域で起りうるようなより窮屈な状況では、よりＤＶＴにかかりやすくなるが、最近の医学的研究によれば、この状態は、不十分な運動しかしない場合、どのクラスの乗客でも起りうる。
【０００６】
数時間の長い飛行の場合、人はこの時間のかなりの部分にわたって眠るということが考えられる。これは各個人に対して禁止することはできず、問題が発生しうる。さらに、窮屈な状況であるため、それ以外の時間には、何らかの理由で事実上動かないということがありうる。この不活動により、脚の血流が減少し、ＤＶＴの潜在的問題が重要になる。
【０００７】
旅行中に脚を定期的に動かすことにより、ＤＶＴの危険が劇的に減少する。しかし、航空機の乗務員は、これらの乗客の健康と安全が少なくとも部分的には航空機乗務員の責任であるという事実にもかかわらず、乗客に確実に適当な運動をさせるような手段を有していない。ＤＶＴの問題は飛行機旅行のみには限られず、長時間すわったままで運動しない他の形の輸送手段たとえば乗合いバスおよび列車においても起る。
【０００８】
現在、有料の乗客がＤＶＴにかからないようにするのは、旅行運営者側の責任であると考えられる。しかし、長時間飛行する現在の乗客は、明らかに、ＤＶＴをもたらす多くの条件に当てはまり、したがって旅行運営者は過失賠償請求の大きな危険にさらされる可能性がある。
【発明の開示】
【発明が解決しようとする課題】
【０００９】
本発明の目的は、人の運動または運動の欠如をモニターでき、適当であると思われる場合には、その当人または他の人が改善行動をとることのできる装置を提供することである。ＤＶＴ防止に関しては、本発明の目的は、個々の乗客に腕／脚（ｌｉｍｂ）の十分かつ適当な動き／運動の欠如を警告する装置を提供することによって、ＤＶＴ発生の危険を低下させ、また旅行運営者から個々の乗客に責任を移行させることである。
【課題を解決するための手段】
【００１０】
本発明によれば、
輸送用乗物で旅行中の使用者の運動をモニターする装置であって、
取りはずし自在の取りつけ装置によって、使用者の脚に局所取りつけまたは隣接取りつけするのに適した支持体、
使用者が所定の運動パターンを実行したことをある設定時間枠にわたって検出するのに適した前記支持体に取りつけられた運動センサー、
該運動センサーが前記時間枠内に前記所定の運動パターンを検出した場合にリセットされるように、前記運動センサーに接続されている、前記支持体に取りつけられたタイマー、
該タイマーがリセットされることなく設定時間間隔をカウントした場合に前記タイマーによって作動させるために、前記タイマーに接続されているやはり前記支持体に取りつけられている警報器、
から成り、
前記所定の運動パターンとタイマーの設定時間枠とが、使用者の腕／脚が深部静脈血栓症の危険を低下させるのに十分な頻度で正しく動かされなかった場合に、前記警報器が作動するように設定されている、
ことを特徴とする装置、
が提供される。
【００１１】
前述のように、本発明の装置には、該装置によって検出される運動の欠如または運動の種類をモニターし、報告する該装置の機能を活用する他の用途もある。これらの用途には、乗物たとえば長距離トラックの運転中の運転者が眠りに落ちていないことを確認する該運転者のモニターが含まれる。たとえば、装置を運転者の脚（またはペダルの一つ）に取りつけて、規則的に脚を動かす（またはペダルを押す）ことがなくなった場合に、警報器を作動させるようにすることができる。これにより、運転者を目覚めさせることができ、あるいは運転者が眠りに落ちるのを防ぐことができる。
【００１２】
腕／脚の動作能力をなくした人を、その腕／脚を動かすように、他の腕／脚を使用するリハビリによって励ますことができる。このようにすれば、その腕／脚の回復を促進することができる。問題は、そのような腕／脚を患者が神経感覚の欠如によって忘れてしまうことがありうるということであり、したがって運動がなされず、さらに悪いことには、その腕／脚の精神的概念が消失するということである。本発明のさらなる考えられる使用としては、腕／脚の動作能力をなくした人の腕／脚に装着して、その人にその腕／脚の不活動を思い出させるということがある。
【００１３】
本発明の装置は、他の種類のＤＶＴ防止装置を補助するために使用することもできる。ＤＶＴの発生の危険を低下させるために座っている人が使用できるエアバッグ体操装置の使用が公知である。この装置は使用者が体操することに頼っており、したがって体操することを確実に思い起させるものではない。本発明は、また、体操装置の正しい使用をモニターし、該装置の不十分または不正な使用がなされたときに、警報を鳴らすのに適した前述の運動モニター装置を備えた体操装置をも提供する。この装置は、二室膨張式装置とすることができ、また膨張のためのポンプを備えることもできる。
【００１４】
本発明の装置は、特定の腕／脚の不活動をモニターすることができ、またその運動のモニターのために、センサーを該センサーが前記腕／脚の動きを検出できるように配置することが肝要である。好ましくは、該センサーを使用者に押しつけて、より詳しく言えば、使用者の腕／脚に押しつけて保持し、したがってそのために支持体は、装置を使用者に取りはずし自在に取りつけることを可能にする取りつけ手段を有することができる。これらの取りつけ手段は、任意の適当な形状とすることができるが、腕／脚への取りつけのために、該腕／脚への巻きつけに適したストラップを有することができる。そのようなストラップは、引伸ばして手または足を通してから、腕／脚をつかんで一度で固定できるように、作ることができる。あるいは、このストラップは、二つの部分に分けることができ、各部分の自由端に相互取りつけのための手段、たとえば二部分から成るフックとループのファスナー（ｔｗｏ  ｐａｒｔ  ｈｏｏｋ  ａｎｄ  ｌｏｏｐ  ｆａｓｔｅｎｅｒ；マジックテープ）（たとえば、商標名「Ｖｅｌｃｒｏ」で市販されているもの）、またはバックルを備えることができる。この装置を腕／脚または衣服に取りつけるのに、剥離性接着剤（ｒｅｌｅａｓａｂｌｅ  ａｄｈｅｓｉｖｅ）を使用することもできる。
【００１５】
運動センサーは、いろいろなパターンの運動、およびいろいろな強さの運動を検出するのに適するようにすることができる。そのようにすることにより、本発明の装置は、異なる種類の運動を区別することができ、また正しい運動が行われているときにのみタイマーをリセットすることができる。したがって、不十分または不適切な運動によるタイマーのリセットが防止される。運動センサーがモニターするのに適当な運動の種類は、製造時に、たとえば警報器の作動前の時間間隔として、設定することができる。そのような製造時設定値により、特定種類の使用に装置を適合させることができる。あるいは、所定運動の種類また実際の設定時間間隔を調節して、装置をいくつかの用途に合わせることができる。この調節は、装置内の制御器を使用するかまたは装置を遠隔的に制御するかして、異なる使用モードの間で装置を再プログラムすることによって、実行することができる。
【００１６】
警報器は、使用者または他の一人もしくは複数の人に、不活動の時間を通知することができなければならず、したがって最終用途に応じていくつかの異なる形をとることができる。警報器は、少なくとも一つの可聴信号発生器たとえばスピーカー、光源たとえばフラッシュするＬＥＤ、バイブレータたとえば携帯電話で使用されるもの、および遠隔通知システムに接続された送信機、を有することができる。そのような送信機は、装置の使用者（装着者）以外の人に通知することが望ましい場合に、付加的にまたは代替的に、使用することができるであろう。
【００１７】
運動センサー、タイマー、および警報器を協働させるために、好ましくは、本発明の装置は、タイマーおよび運動センサーからの情報を受信し、該情報に応じて警報器を作動させるのに適した制御器（たとえば、マイクロプロセッサー）を有する。この制御器は、いろいろな動作に応じて、装置の再プログラムができるソフトウェアおよび／またはハードウェアを有することができる。実際、タイマー、運動センサー、および制御器は、単一の適当にプログラムされたマイクロ制御器内に一体化することができる。データの送信および受信のための手段を、警報器の一部として、または警報器に加えて、有することができ、これらは装置の遠隔制御およびモニターを可能にする。
【００１８】
本発明による装置は、一つの実施態様において、ＤＶＴの予防に特別な用途を見出しうるものであり、したがって好ましくは、この装置は輸送乗物の乗客の脚への取りつけに適するようにし、またセンサーの所定の運動の種類およびタイマーの設定時間間隔を、脚が深部静脈血栓症の危険を低下させるのに十分なだけ頻繁に動かされなかった場合に、警報器が作動するように設定する。
【００１９】
この装置は、特定の運動を正しく実行することを望む人への取りつけに適するようにすることができる。そのような実施態様の場合、所定運動の種類は特定の運動ルーチンの正しい完了によって生成されるパターンに設定することができ、またタイマーの設定時間間隔を、運動が装置を装着している人によって必要な頻度で正しく実行されなかった場合に、警報器が作動するように設定することができる。
【００２０】
本発明のより精巧な実施態様の場合、あらかじめ合意した動作原理に合わせて、マイクロプロセッサーが使用される。このマイクロプロセッサーは下記のシーケンスを行うことができるようにプログラムされる。
【００２１】
装置が動作すると、装着者に警報が送られる。この警報は、ＬＥＤのフラッシュまたは振動モーターからのブザー音から成ることができる。マイクロプロセッサーは、運動が正しくなされるのに間に合うように、ＬＥＤをフラッシュさせることができ、そうすることによって、効果的に、装着者が特定の型の運動を行うように視覚的に促す。ＬＥＤは１５秒ごとにフラッシュするようにして、装着者に該ＬＥＤが正しく動作していることを知らせることができる。
【００２２】
ＬＥＤのさらなる使用においては、装着者が一つ以上のモニター時間間隔において運動することを拒否した場合、そのことを知らせるために、マイクロプロセッサーがＬＥＤのフラッシュ速度を変化させて１５秒あたり２回フラッシュするようにすることができる。これは、装着者が合意した所定の型の飛行機内運動を実行するのを拒否したということを、航空会社の乗務員に警告するという機能を有する。
【００２３】
タイマーは適当な時間たとえば５０〜６０分にわたって運動をモニターすることができ、当該時間中に不十分／不適当な運動が検出された場合、タイマーは振動モーターに３回に区切ったブザー音を発生させて、使用者が所定型の運動を行うように警告する。
【００２４】
運動たとえば４分間に１８０回の足踏みが完了したら、振動モーターによって別のブザー音を装着者に送り、装着者に運動を停止することができるということを伝える。次に、装置はそのクロックをリセットして、次の５０分間または６０分間のモニターを続ける。
【発明を実施するための最良の形態】
【００２５】
以下、本発明がさらに十分に理解できるように、本発明のいくつかの実施形態について、添付の図面を参照しつつ、詳しく説明する。これらの実施形態は単なる例である。
【００２６】
図１は、本発明の第一の実施形態の簡易模式図である。この装置は、使用者（図示せず）の運動を検出できるように配置された運動センサー１０、該センサー１０に接続されたタイマー１２、および警報器１４を有する。タイマーは、設定時間ｔからゼロまで、時間間隔をカウントダウンし、時間がゼロになると、制御器１６によって警報器を動作させる。飛行機乗客におけるＤＶＴの防止の場合、ｔは５６分とすることができる。運動センサーは適当なレベルまたは種類の運動を検出するのに適するようにしてあり、この運動が検出された場合、タイマー１２はｔにリセットされる。バッテリー１８の形の電源が各種要素に電力を供給する。警報器はいくつかの形態とすることができ、実際、本発明の装置はいくつかの異なるタイプの警報器を組合せて備えることができる。たとえば、飛行機乗客には、他の乗客の迷惑にならないように、無声振動警報が適当であろう。
【００２７】
実質的に図１に関して説明したようにして動作する装置のより実際に近い実施形態を、図２に示す。この実施形態においては、タイマー、運動センサー、バッテリー、および制御器が、支持体２０の内部に収容されている。支持体２０は、ストラップ２２および２４によって装着者に取りつけることができる。このストラップは使用者の脚（ＤＶＴ防止に使用する場合）に巻きつけて、二部分から成るフックとループのファスナーを使用して連結する。このファスナーの一つの部分２６がストラップ２４の内面に見えている。支持体２０は、その外面２８に、警報器の一部を構成するＬＥＤ ３０と、液晶ディスプレイスクリーン３２とを備えている。該スクリーンは、装置の動作に関する情報、たとえば警報器の動作までの時間または警報器の動作回数を表示する。
【００２８】
図２に示す装置は、長旅たとえば長距離飛行機旅行の乗客による使用を意図するものである。この装置は、ストラップ２２と２４を使用して乗客の足首に巻きつけて、所定の運動と時間間隔とを、乗客のＤＶＴ発生の機会を減少させるのに適当な規則的運動を検出するように設定する。所定の運動の例としては、３分間に１８０回よりも多い床への足踏みによってタイマーのリセットを引起すようにすることができる。タイマーがカウントダウンする時間間隔（ｔ）の長さは変えることができるが、ＤＶＴの予防のためには、運動は３〜４分間に１８０〜２４０回の足踏みから成るようにし、少なくとも３０分〜１時間（ｔ＝３０〜６０分）ごとに反復するようにすることができる。背屈によれば、前記範囲の足踏みは術後のリハビリにおける使用にも十分である。
【００２９】
装着者が規則的に正しい運動を十分にやっている場合、タイマーはリセットされ、警報器は鳴らない。正しい運動が検出されなかった場合、タイマーはゼロになり、警報器が作動し、乗客に必要な運動を行うことを思いおこさせる。時間間隔と運動の種類とは医学的推奨事項にしたがって設定することができる。
【００３０】
この装置は、条件に合う種類の運動たとえば歩き回りをも検出することができ、それらの検出に反応してカウンターをリセットすることもできる。これにより、警報器の不必要な作動を最小限に抑え、装着者の感じるわずらわしさを抑えることができる。一群の装置を異なる設定値で一つの飛行機に備えることができる。異なる設定値を有する装置は、色分けして、乗務員が異なる種類の乗客を区別できるようにすることができる。たとえば、大きなＤＶＴの危険のありうる乗客の場合、危険の小さな乗客の場合よりも短い時間間隔を装置に与えることができる。いろいろな設定時間間隔値を有するこれらの装置を、飛行の開始時に乗客に配ることができると考えられる。飛行前の安全説明時に、これらの装置の使用法を説明し示すことができるであろう。
【００３１】
この装置の簡単な実施形態は、自動装置であり、一度設定されると、乗務員または乗客が調節またはボタン押しする必要はなく、飛行機乗務員は、たとえば搭乗の楽しみのためにヘッドホンを配るのと、文字通り同じ方法で装置を配ることができる。
【００３２】
液晶ディスプレイスクリーン３２は、装置が運動によってリセットされた回数を表示することができる。この情報は、航空会社が手動または自動で記録することができ、次に、座席位置および乗客名と関係づけることができる。そうすることにより、航空会社に、それぞれの乗客が推奨されている運動の型に従っているかどうかの記録が与えられる。
【００３３】
実際には、各乗客にこの装置を配って、その安全のために装着するように要請することができる。乗客がそれを拒むかまたは単に装置を使用しなかった場合にも、航空会社は可能な限り安全な旅を提供するという行動指針に従ったことになり、責任は個々の乗客に移行することになる。
【００３４】
この装置の使用は、飛行機の乗客のみに限定されるものではなく、この装置は、あらゆる種類の運動の欠如から生じるＤＶＴの脅威その他の問題がある場合、たとえば病院における重大な手術のあとに生じうるような問題がある場合、あるいは運動のモニターが望ましいような場合には、いつでも使用することができる。小さな送信機を、この装置とともに使用することができ、そのことを図３に示す。図３の装置実施形態は図１に示すものと実質的に同様であり、したがって同種部品は同じ参照番号で示す。これら二つの実施形態の違いは、図３の警報器が、遠隔モニターステーション３８の受信機に無線接続された送信機３６から成る、ということである。このようにすれば、警報信号を遠隔位置に送って第三者がモニターするようにすることができる。これの使用の例は病院におけるものであり、その場合、医療スタッフに、患者の腕／脚がこのある時間動かされておらず、ただちに動かす必要があるという警告をするのに使用することができる。送信機は低エネルギーの電波または超音波を使用して遠隔モニターステーションと連絡することができる。
【００３５】
単一の遠隔モニターステーションに複数の装置を使用すれば、一人の人に関して複合運動データを得ることができる。各装置は、それが同定できる場合、そのデータをコンピュータに送り、該コンピュータはたとえば医療スタッフによる検討のために情報を関係づけることができる。
【００３６】
図４は、この装置の一つの実施形態がどのように動作するかを簡単化して示す流れ図である。装置はまず装着者に取りつけられ、ステップ４０において、リセットされる。次に、ステップ４１において、タイマーがカウントダウンを開始し、一方ステップ４２において、運動のモニターを開始する。運動が検出されると、ステップ４３において、運動の種類が解析され、条件に合うと、タイマーはステップ４０において、リセットされる。正しい運動が検出されない場合には、タイマーはステップ４４において、時間間隔の終りに到達し、ステップ４５において、警報器が作動する。運動センサーはステップ４６において引き続き運動をモニターし、運動が検出されない場合には、ステップ４７において、警報器が作動し続ける。運動が検出された場合には、ステップ４８で解析され、条件に合う場合には、ステップ４０においてタイマーがリセットされ、サイクルが再開される。運動が正しくない場合には、手動で停止させるまで、警報器が作動し続ける。
【００３７】
図５に示す実施形態は、マイクロプロセッサー４９を有し、該マイクロプロセッサーによって駆動電子機器が動作し、また該マイクロプロセッサーには、センサー１０から運動データが送られる。音響器／振動モーター１４とＬＥＤ ３０とから成る警報器は、マイクロプロセッサー４９で実行されるソフトウェア５１によってなされる決定によって駆動される。ＬＥＤ ３０は、装着者に、装置が正しく動作していることを知らせるため、また少なくとも一つの時間間隔にわたって運動が行われなかったということを警告するために、使用される。これらの機能は、ＬＥＤのフラッシュパターンを変えることによって、実現できる。バッテリー５０が装置に電力を供給する。
【００３８】
図６に示す流れ図は、図５の装置がどのように動作するかを示す。
【図面の簡単な説明】
【００３９】
【図１】本発明の装置の一つの実施形態の簡易化模式ブロック図である。
【図２】本発明の、使用準備ができた状態の、もう一つの類似実施形態の斜視図である。
【図３】警報器が、遠隔モニターステーションとの通信を行う低電力送信機を有する、本発明の装置のもう一つの実施形態の簡易化模式ブロック図である。
【図４】図１の実施形態の動作を示す流れ図である。
【図５】本発明のより精巧な別の実施形態である。
【図６】図５の実施形態の動作を示す流れ図である。
【符号の説明】
【００４０】
１０  運動センサー
１２  タイマー
１４  警報器
１６  制御器
１８  バッテリー
２０  支持体
２２、２４  ストラップ
２６  ファスナーの一つの部分
２８  ２０の外面
３０  ＬＥＤ
３２  液晶ディスプレイスクリーン
３６  送信機
３８  遠隔モニターステーション
４０、４１、４２、４３、４４、４５、４６、４７、４８  本発明の装置の動作ステップ
４９  マイクロプロセッサー
５０  バッテリー
５１  ソフトウェア




【国際調査報告】
2004537821.tif 000027
2004537821.tif 000028
2004537821.tif 000029